(57)【特許請求の範囲】
【請求項１】
浴槽内の湯を循環ポンプにより吸湯管から汲み上げ、濾過タンク、紫外線殺菌装置、ヒータ等の各種清浄化処理機器が管路により接続されて配備された装置本体内を循環させ、清浄化処理の終わった湯を前記装置本体から浴槽内に配置される噴湯管から浴槽に再び噴出させる浴槽湯の清浄化装置において、
一端を前記噴湯管の前記装置本体のろ過タンクの下方部の管路に管路を切り換えるバイパスバルブを介して接続して、他端を前記吸湯管と前記循環ポンプの間の管路に接続する再循環用バイパス管を設け、電源投入時には、前記バイパスバルブを再循環用バイパス管に切り換えて、濾過タンク上方の開口からの給水により循環ポンプに水張りするようにしたことを特徴とする浴槽湯の清浄化装置。
【請求項２】
運転停止時には再循環用バイパス管を自動的に閉じ濾過タンク等の清浄化処理機器からの水抜きの管路を形成することを特徴とする請求項１記載の浴槽湯の清浄化装置。
【発明の詳細な説明】
【０００１】
【発明の属する技術分野】
本発明は風呂装置に係り、特に浴槽内の湯を強制的に循環させつつ濾過、殺菌等の清浄化処理すると同時に入浴温度に保温し、浴槽湯を絶えず清浄かつ適温に保ち２４時間何時でも好みの時に入浴できるようにしたいわゆる２４時間風呂装置に関するものである。
【０００２】
【従来の技術】
最近、浴槽内の湯を絶えず清浄かつ適温に保ち、２４時間いつでも快適に入浴でき、しかも水の節約にもなる、浴槽湯の清浄化装置、すなわち２４時間風呂装置の利用が盛んになつてきた。
【０００３】
このような浴槽湯の清浄化装置の１例は図６に示す通りであり、１が浴槽、２が湯、３が浴槽１内の湯２を汲み上げるための吸湯管、４が吸湯管３で汲み上げられた湯を清浄化処理するための清浄化処理機器類をまとめて配備した装置本体、９が装置本体４で清浄化処理された湯を浴槽１内に再び噴出するための噴湯管である。
【０００４】
装置本体４には、湯を強制循環するための循環ポンプ５、湯を適温に保つための加熱装置としてのヒータ６、湯を紫外線殺菌するための紫外線ランプを収納した紫外線殺菌装置７、湯中の汚れを取り除くため、活性石、活性炭、セラミツクボール等の各種の粒状濾材を直接或いはバケットや網袋に入れたりして充填した濾過タンク８、等の清浄化処理機器が配備されている。
【０００５】
１０は大きな汚れを装置本体４に汲み上げる前に予め取り除くためのプレフィルタ、１１は清浄化処理の終わった湯を流速の早いジエツト流として浴槽１内に噴出する電磁弁を配備した吸気管がエジェクタ部に接続するジエットノズルであり、吸気管の電磁弁を開くと、ジエットノズル１１からは空気の混ざった湯が浴槽１に噴出し泡風呂となる。
【０００６】
１２は湯温センサであり、この湯温センサ１２が検知した湯温に基づいて制御装置がヒータ６の作動を制御し、１３は差圧センサであり、循環ポンプ５の吸い込み口側と吐出口側との圧力差から水張りを検知し空運転を防止する。
【０００７】
１４が吸湯管３と噴湯管９とを接続する再循環用バイパス管であり、噴湯管９にはＬ型切換バルブであるバイパスバルブ１５を介して接続し、このバイパスバルブ１５の切換によって装置本体４からの噴湯管９の湯の流れをジエットノズル１１方向と再循環用バイパス管１４方向とに切り換える。
【０００８】
１６はＴ型切換バルブである逆洗バルブであり、噴湯管９のバイパスバルブ１５の下流側に配備し、１８は排水管１９が接続するＴ型切換バルブである排水バルブであり、循環ポンプ５とヒータ６との連結管１７に配備し、濾過タンク８内の濾材が汚れた場合に逆洗バルブ１６と排水バルブ１８とを切り換え、浴槽１内の湯２を濾過タンク８内を逆方向に流して濾材を逆洗し排水管１９から排水する逆線の管路を形成する。
【０００９】
また逆洗バルブ１６と排水バルブ１８とを連結管２０で連結し、この連結管２０の途中にエジエクタ２１を配備し、濾過タンク８の上部に一端が接続するエア抜き管２２の他の一端をエジエクタ２１に接続し、濾過タンク８に溜まっている空気を水抜きの時に抜く。
【００１０】
濾過タンク８の上部開口を密閉する上蓋には電磁弁２４を配備した吸気口２３が設けてあり、また紫外線殺菌装置７の湯の流入口にはエジエクタ２５が設けてあり、濾過タンク８の上部とエジエクタ２５とを吸気管２６で接続し、空気の混入した湯を紫外線殺菌し、湯中に混入している空気が紫外線によりオゾン化されることによるオゾン殺菌効果も得られるようにしている。
【００１１】
２７が水張り管であり、濾過タンク８の下方部と循環ポンプ５の吐出口側とを連結し、循環ポンプ５への水張りの管路を形成し、２８は噴湯管９から分岐したドレンを抜くためのドレン管である。
【００１２】
このような配管の装置において、清浄化運転のモードでは、バイパスバルブ１５及び逆洗バルブ１６はジエットノズル１１方向に、排水バルブ１８は連結管１７方向に開くようにそれぞれ切り換えられていて、循環ポンプ５の作動にによって浴槽１内の湯２は、矢印に示すように、プレフィルタ１０で大きな汚れを予め取り除きながら吸湯管３から吸い込まれて装置本体４に入り、ヒータ６で適温に加熱され、紫外線殺菌装置７で紫外線殺菌され、濾過タンク８で濾過され、、噴湯管９を経てジェットノズル１１から浴槽１にジエット流として再び噴出する。
【００１３】
この場合に、前記したようにジエットノズル１１に接続する吸気管の電磁弁を開くと吸湯ユニット１１のジエットノズルからは空気を混入したジエット流が浴槽１内に噴出して泡風呂となる。
【００１４】
なお前記したように濾過タンク６の上蓋に吸気口２３設けられ、濾過タンク８の上部と紫外線殺菌装置７の湯の流入口のエジエクタ２５とが吸気管２６で接続しているので点線の矢印に示すような空気の流が生じ、紫外線殺菌装置７では空気を混入した湯の紫外線殺菌が行われ、この紫外線殺菌の際に湯中に混入した空気は紫外線によりオゾン化されるのでオゾン殺菌の効果も得られる。
【００１５】
以上のような装置において、装置を設置した際には運転の開始に先だって循環ポンプ５に水張りをしなければならない。
【００１６】
装置本体４の電源を投入すると、図７に示すように、バイパスバルブ１５はジエットノズル１１方向に、逆洗バルブ１６はジエットノズル１１の方向と連結管２０の方向とに、排水バルブ１８は連結管１７の方向に開くように自動的に切り換えられているので、この状態で濾過タンク８の上蓋を開け中に水を注ぎ込む。
【００１７】
すると、濾過タンク８の中に注ぎ込まれた水は、矢印に示すような管路を流れ、循環ポンプ５は、水張り管２７を経た水が吐出口側の管路から入って水張りされる。
【００１８】
【解決しようとする課題】
しかしながら、このようにバイパス及び逆洗のバルブ１５及び１６がジエットノズル１１方向に開く方向に切り換えた状態では濾過タンク８からの水抜けが良すぎる管路となっていて、水張りのために濾過タンク８に注入した水のかなりが噴湯管９を経てドレン管２８に排出してしまい、循環ポンプ５は、水張り管２７を経て入る水の量が少なくて水張りがなかなか良くできなかった。
【００１９】
また循環ポンプ５の水張りを良くできるようにするために濾過タンク８の水抜けが悪くなる管路とするように前記したバイパス、逆洗、排水の３つのバルブ１５、１６、１８の位相を調節すると、今度は装置の運転を停止してメンテイナンスために濾過タンク８等の清浄化処理機器から水抜きをしようとしても、良くできなくなってしまった。
【００２０】
本発明は、前記したような循環ポンプ５への水張りと、濾過タンク８等の清浄化処理機器からの水抜きが共に良くすることができないという従来技術の課題を解決することを目的とする。
【００２１】
【課題を解決するための手段】
本発明は、浴槽内の湯を循環ポンプにより吸湯管から汲み上げ、濾過タンク、紫外線殺菌装置、ヒータ等の各種清浄化処理機器が管路により接続されて配備された装置本体内を循環させ、清浄化処理の終わった湯を前記装置本体から浴槽内に配置される噴湯管から浴槽に再び噴出させる浴槽湯の清浄化装置において、一端を前記噴湯管の前記装置本体のろ過タンクの下方部の管路に管路を切り換えるバイパスバルブを介して接続して、他端を前記吸湯管と前記循環ポンプの間の管路に接続する再循環用バイパス管を設け、電源投入時には、前記バイパスバルブを再循環用バイパス管に切り換えて、濾過タンク上方の開口からの給水により循環ポンプに水張りするようにしたことを特徴とする浴槽湯の清浄化装置とすることで、課題を解決することができた。
さらに本発明は、運転停止時には再循環用バイパス管を自動的に閉じ濾過タンク等の清浄化処理機器からの水抜きの管路を形成することを特徴とする浴槽湯の清浄化装置とすることで課題を解決することができた。
【００２２】
また本発明は、前記バイパスバルブは運転停止に対して、前記噴湯管側に切り換えて通常の運転管路とするようにしたことにより課題を解決した。
【００２３】
【発明の実施の形態】
次に本発明の実施の形態について図１から図３に基づいて説明する。
【００２４】
まず装置本体４の電源を投入すると、バイパス、逆洗、排水の３つのバルブ１５、１６、１８は図１に示すように切り換えられており、バイパスバルブ１５は再循環用バイパス管１４方向に、逆洗バルブ１６はジエットノズル１１方向に切り換えられている。
【００２５】
このようなバルブの切換状態で循環ポンプ５に水張りするために濾過タンク８に水を注入すると、注入した水は、矢印に示すように、濾過タンク８から全て噴湯管９に流出し、バイパスバルブ１５を経て再循環用バイパス管１４へと流れる。
【００２６】
再循環用バイパス管１４を流れ吸湯管３を経た水は、循環ポンプ５に吸い込み口側から入り、吐出口側から出て連結管２０を経て逆洗バルブ１６を通ってジエットノズル１１から浴槽１に流出する。
【００２７】
このように濾過タンク５に注入した水は、循環ポンプ５を経て浴槽１に流出する管路を極めて円滑に流れるので、循環ポンプ５の水張りが非常に良くできる。
【００２８】
したがって濾過タンク８の下端部と循環ポンプ５の吐出口側とを連結する水張り管２７を設けなくても、循環ポンプ５の水張りは良くできる。
【００２９】
次にメンテイナンスのために装置の運転を止めると、図２に示すように、バイパスバルブ１５はジエットノズル１１方向に、逆洗バルブ１６はジエットノズル１１の方向と連結管２０の方向とに、排水バルブ１８は連結管１７の方向に開くように自動的に切り換えられる
【００３０】
この状態で水抜きすると、濾過タンク８の中の水は、矢印に示すように、噴湯管９に流出し、バイパスバルブ１５及び逆洗バルブ１６がジエットノズル１１方向に開いているので、ドレン管２８とジエットノズル１１経て浴槽１とに流出し、良く水抜きできる。
【００３１】
なお前記したように紫外線殺菌装置７での湯の殺菌を空気を混入させた状態で行うので濾過タンク８の上方部には空気が溜まっているが、水抜きの際には噴湯管９を湯が流れエジエクタ２１に吸気力が生じ溜まっている空気をエア抜き管２２を経て排出しながら水抜きするようになる。
【００３２】
また濾過タンク５や紫外線殺菌装置７等の清浄化処理機器から水抜きしても循環ポンプ５に張られた水は抜けないので、清浄化処理機器のメンテイナンスが終わったら直ぐに循環ポンプ５を作動し、再び装置を運転できる。
【００３３】
図３には装置の制御ブロック図が示され、２９が装置を全体的に制御するための制御装置であり、この制御装置２９は、中央演算処理装置としてのＣＰＵ３０、制御データや制御プログラムを記憶した記憶装置としてのＲＯＭ３１、演算処理のためデータの一時記憶装置としてのＲＡＭ３２より成るマイクロコンピュータであり、勿論ＲＯＭ３２には水張りや水抜きの制御プログラムも記憶してある。
【００３４】
３３は装置本体４に電源を供給する電源装置で、３４はキー入力装置であり、このキー入力装置３４には装置を運転させたり或いは停止させたりする運転／停止キー、湯温を設定する湯温設定キー、泡風呂とするためのジエットキー、熱殺菌運転するための熱殺菌キー等の装置の運転条件を設定する各種のキーを配備してある。
【００３５】
１２は湯温センサであり、管路を流れる湯の温度を検知し、通常運転の時の入浴温度と、熱殺菌運転キーで設定された熱殺菌熱運転の時の熱殺菌温度とを制御する。
【００３６】
１３は差圧センサであり、循環ポンプ５の吸込側と吐出側との圧力差から空運転状態を検知するもので、当然のことながら水張りが不十分で空運転している状態も検知する。
【００３７】
３５は駆動回路で、制御装置２９の制御の下に循環ポンプ５、ヒータ６紫外線殺菌装置７、表示装置３６等を駆動し、キー入力装置３４で設定される運転モードに応じてバイパス、逆洗、排水の３つのバルブ１５、１６、１８の開閉もする。
【００３８】
すなわち電源３３が投入されると、制御装置２９は、バイパス、逆洗、排水の３つのバルブ１５、１６、１８を図１に示すように自動的に切り換える。
【００３９】
これにより前記したように循環ポンプ５の水張りが再循環バイパス管１４を介して良くできる管路が形成されるので、装置を設置した後、運転開始に先立って循環ポンプ５に容易に水張りできるようになる。
【００４０】
またキー入力装置３４の運転／停止キーの操作によって装置の運転が止められると、制御装置２９は、バイパス、逆洗、排水の３つのバルブ１５、１６、１８を図２に示すように自動的に切り換える。
【００４１】
これにより濾過タンク８からの水抜きが噴湯管９を介して良くできる管路を形成されるので、濾過タンク８の濾材を交換したり、紫外線殺菌装置７の紫外線ランプを交換したりする装置のメンテイナンスの時に水抜きが容易にできるようになる。
【００４２】
以上のように制御装置２９は、電源３３を投入した時に水張りの管路が、キー入力装置３４の運転／停止キーで運転を停止した時には水抜きの管路を形成するようバイパス、逆洗、排水の３つのバルブ１５、１６、１８を自動的に切り換える。
【００４３】
したがって運転停止後に循環ポンプ５に水張りが必要になった場合に、そのまま水張りすると、管路が水抜けの管路となっているので従来と同様に良く水張りできないが、一旦電源３３を抜いて再び投入すれば水張りの管路が形成されるので何ら問題がない。
【００４４】
制御装置２９は、前記したように、電源３３を投入すると図１に示すような循環ポンプ５に対する水張りの管路を、キー入力装置３４で運転／停止キーで運転を設定すると図６に示すような清浄化の管路を、キー入力装置３４で運転／停止キーで運転を停止すると図２に示すような水抜きの管路を形成するようにバイパス、逆洗、排水の３つのバルブ１５、１６及び１８を開閉する。
【００４５】
またキー入力装置３３の熱殺菌キーで熱殺菌の運転を設定すると、図４に示すようにバイパスバルブ１５が再循環用バイパス管１４の方に開かれ、噴湯管９と吸湯管３とがバイパイ管１５を介して直結した熱殺菌の管路を形成する。
【００４６】
すると、装置本体４を循環して噴湯管９に排出した清浄化処理の終わった湯は、矢印に示すように、ジエットノズル１１から浴槽１に噴出されないで吸湯管３から装置本体４に戻りヒータ６で再び加熱され、この再循環によってのヒータ６による加熱を繰り返すと、湯温が７０℃程度まで上がって熱殺菌される。
【００４７】
このように再循環用バイパス管１４を利用すると、特別の熱殺菌装置を設けて装置をサイズを大型にしたり、電気容量を大きくしたりしないでも容易に熱殺菌できるので極めて好都合である。
【００４８】
次に逆洗の運転が設定されると、図５に示すように、逆洗バルブ１６と排水バルブ１８とが逆洗の管路を形成する方向に切り換えられる。
【００４９】
浴槽１から吸湯管３を介して汲み上げられた湯２は、矢印に示すように、循環ポンプ５を経た後ヒータ６方向には向かわずに逆洗バルブ１６を介して噴湯管９に向かい、バイパスバルブ１５を経た後濾過タンク８に向かう。
【００５０】
湯は濾過タンク８内に底部の流出口から入り上部の流入口に向かって通常とは逆方向に流れ濾材を逆洗し、紫外線殺菌装置７、ヒータ６を経て排水バルブ１８を介して排水管１９へと流れる。
【００５１】
【発明の効果】
本発明は以上のような構成のものであり、制御装置２９は、キー入力装置３３で設定した各運転モードに応じた管路を自動的に形成するだけでなく、装置を設置した際に電源を投入すると運転に先立っての循環ポンプ５に対する水張りが良くできるように水張りの管路を自動的に形成し、また装置の運転を停止するとメンテイナンスのための水抜きが良くできるように水抜きの管路を自動的に形成するよう、バイパス、逆洗、排水の３つのバルブ１５、１６、１８の開閉を制御する。
【００５２】
これにより、装置を設置したなら循環ポンプ５の水張りをして直ちに運転を開始でき、また運転を止めれば水抜きして直ちにメンテイナンスをできる浴槽湯の清浄化装置を提供する。
【図面の簡単な説明】
【図１】                  水張り状態配管図、
【図２】                  水抜き状態配管図、
【図３】                  制御ブロック図、
【図４】                  熱殺菌状態配管図、
【図５】                  逆洗状態配管図、
【図６】                  清浄化状態配管図、
【図７】                  従来例水張り状態配管図。
【符号の説明】
１                    浴槽
２                    湯
３                    吸湯管
４                    装置本体
５                    ヒータ
６                    循環ポンプ
７                    紫外線殺菌装置
８                    濾過タンク
９                    噴湯管
１４                    再循環用バイパス管
１５                    バイパスバルブ
１６                    逆洗バルブ
１８                    排水バルブ
２９                    制御装置
３３                    電源
３４                    キー入力装置
【図１】
0003837211.tif 000002
【図２】
0003837211.tif 000003
【図３】
0003837211.tif 000004
【図４】
0003837211.tif 000005
【図５】
0003837211.tif 000006
【図６】
0003837211.tif 000007
【図７】
0003837211.tif 000008